(57)【要約】【課題】ＰＥＴを含む樹脂とアルカリとの両方の投入材料をその熱分解運転特性に合わせて最適な条件で混合しながら、安定的に処理できることを課題とする。【解決手段】ＰＥＴを含む樹脂を熱分解してベンゼンを主体とする生成油を生成する熱分解油化装置において、ＰＥＴを含む樹脂を破砕し、破砕ＰＥＴ含有樹脂を貯留する破砕ＰＥＴ含有樹脂投入ホッパー１と、アルカリを貯留するアルカリ投入ホッパー２と、破砕ＰＥＴ含有樹脂投入ホッパー１及びアルカリ投入ホッパー２の夫々の下部に設置された第１・第２の定量供給装置３，４と、これらの第１・第２の定量供給装置３，４の下部に配置された投入機５と、この投入機５に接続された，熱分解を行う熱分解装置６とを具備し、破砕ＰＥＴ含有樹脂とアルカリとを夫々の定量供給装置を経由して、或る一定比率で前記熱分解装置内に連続的に投入できるようにしたことを特徴とする。【選択図】      図１
2008133398.tif 000002
【特許請求の範囲】
【請求項１】
ＰＥＴを含む樹脂を熱分解してベンゼンを主体とする生成油を生成する熱分解油化装置において、
ＰＥＴを含む樹脂を破砕し、破砕したＰＥＴを含む樹脂（破砕ＰＥＴ含有樹脂）を貯留する破砕ＰＥＴ含有樹脂投入ホッパーと、アルカリを貯留するアルカリ投入ホッパーと、破砕ＰＥＴ含有樹脂投入ホッパー及びアルカリ投入ホッパーの夫々の下部に設置された第１・第２の定量供給装置と、これらの第１・第２の定量供給装置の下部に配置された投入機と、この投入機に接続された，熱分解を行う熱分解装置とを具備し、
破砕ＰＥＴ含有樹脂とアルカリとを夫々の定量供給装置を経由して、或る一定比率で前記熱分解装置内に連続的に投入できるようにしたことを特徴とするＰＥＴを含む樹脂の熱分解油化処理装置。
【請求項２】
第１の定量供給装置の上部に配置された，破砕ＰＥＴ含有樹脂を貯留する破砕ＰＥＴ含有樹脂貯留管と、第２の定量供給装置の上部に配置された，アルカリを貯留するアルカリ貯留管と、これらの貯留管の下部に夫々接続された不活性ガス注入ポートと、前記貯留管の上部に夫々設置された酸素濃度計とを更に具備し、
夫々の酸素濃度計の計測値により、夫々の不活性ガス注入ポートより供給する不活性ガス注入量を調整できる機能を備えたことを特徴とする請求項１記載のＰＥＴを含む樹脂の熱分解油化処理装置。
【請求項３】
熱分解処理して生成するベンゼンの量を計量し、その生成ベンゼン量に応じて、熱分解処理を行う熱分解装置へ供給する破砕ＰＥＴ含有樹脂とアルカリとの供給比率を調整できるようにしたことを特徴とする請求項１又は２記載のＰＥＴを含む樹脂の熱分解油化処理装置。
【請求項４】
熱分解装置の内部温度を測定し、その温度に応じて熱分解装置へ供給する破砕ＰＥＴ含有樹脂とアルカリとの供給比率を調整できるようにしたことを特徴とする請求項１又は２記載のＰＥＴを含む樹脂の熱分解油化処理装置。
【請求項５】
破砕ＰＥＴ含有樹脂投入ホッパーの下部に配置された破砕ＰＥＴ含有樹脂定量供給サークルフィーダと、アルカリ投入ホッパーの下部に配置されたアルカリ定量供給サークルフィーダとを更に具備し、夫々の定量供給サークルフィーダの回転数を調整し、破砕ＰＥＴ含有樹脂とアルカリとを或る一定比率で、熱分解装置に連続的に投入できるようにしたことを特徴とする請求項１及至４いずれか記載のＰＥＴを含む樹脂の熱分解油化処理装置。
【請求項６】
ＰＥＴを含む樹脂を熱分解してベンゼンを主体とする生成油を生成する熱分解油化装置において、
ＰＥＴを含む樹脂を破砕し、破砕ＰＥＴを貯留する破砕ＰＥＴ含有樹脂投入ホッパーと、アルカリを貯留するアルカリ投入ホッパーと、破砕ＰＥＴ含有樹脂投入ホッパーの下部に配置された破砕ＰＥＴ含有樹脂定量供給サークルフィーダと、アルカリ投入ホッパーの下部に配置されたアルカリ定量供給サークルフィーダと、破砕ＰＥＴ含有樹脂定量供給サークルフィーダの下部に配置された，破砕ＰＥＴ含有樹脂を貯留する破砕ＰＥＴ含有樹脂貯留管と、アルカリ定量供給サークルフィーダの下部に配置された，アルカリを貯留するアルカリ貯留管と、前記破砕ＰＥＴ含有樹脂投入ホッパー及びアルカリ投入ホッパーの夫々の下部に設置された第１・第２の定量供給装置と、これらの第１・第２の定量供給装置の下部に配置された，スクリュー移送構造を有する材料攪拌定量流下投入装置と、この投入装置の下部に配置された投入機と、この投入機に接続された，熱分解を行う熱分解装置とを具備し、
破砕ＰＥＴ含有樹脂とアルカリを常時一定比率で熱分解装置内に連続的に投入して熱分解を行うことを特徴とするＰＥＴを含む樹脂の熱分解油化処理装置。
【請求項７】
前記投入機はスクリュー移送構造の投入機であり、破砕ＰＥＴ含有樹脂とアルカリを投入しながら圧縮し、投入する破砕材料の隙間のガスを材料入口側に排除し、熱分解処理を行う熱分解装置内には固体だけを連続的に投入するようにしたことを特微とする請求項１乃至６いずれか記載のＰＥＴを含む樹脂の熱分解油化処理装置。
【発明の詳細な説明】
【技術分野】
【０００１】
本発明は、ＰＥＴを含む樹脂の熱分解油化処理装置に関し、特に熱分解してベンゼンを主体とする生成油を生成する熱分解油化処理装置に関する。
【背景技術】
【０００２】
近年、プラスチックの利用が増加するにつれ、廃棄されるプラスチックの量も膨大になり、埋立て処分場の不足、焼却による有害ガスの発生等、環境問題の一因になっている。ＰＥＴを含む樹脂については、飲料用のＰＥＴボトルを洗浄、フレーク状にし、再度ＰＥＴボトルに再生する「ＰＥＴ  ｔｏ  ＰＥＴ」リサイクル技術が進展している。  
一方、ＰＥＴが主成分のＸ線フィルム（レントゲンフィルム）については、焼却処分しているのが現状である。
【０００３】
ところで、ＰＥＴを熱分解処理してガス化、油化処理することも可能である。しかし、ＰＥＴは、一般の熱可塑性樹脂プラスチック（ＰＰ、ＰＥ、ＰＳ）等と熱分解温度特性が異なり、熱分解温度が高い。この為、ＰＥＴをこれらのプラスチックと一緒に熱分解処理してまとめて油化処理することは難しい。
【０００４】
一方、ＰＥＴ単独であれば、熱分解処理しペンゼンとして回収することは可能である。この技術としては、本出願人が既に出願した特許文献１が知られている。特許文献１には、廃プラスチックから油化不適合物である金属類、塩ビ系樹脂及びＰＥＴを選別除去した後、破砕する選別破砕処理設備と、廃プラスチックを加熱して熱分解し、熱分解ガスと残渣とを発生させる熱分解処理設備と、各設備に設けられた受け入れ口及び排出口と、これらの受け入れ口と排出口を直接接続する移送手段とを備え、設備コストとランニングコストの大幅な低減を図った技術が開示されている。また、この他に本出願人が出願した非特許文献１，２が知られている。
【０００５】
なお、ＰＥＴに消石灰等のアルカリを添加して熱分解処理することにより、低い熱分解温度で効率的にベンゼン回収処理できることが確認できている。但し、これを実現する為には、ＰＥＴに消石灰を如何に安定的に一定比率で添加し処理することが重要になる。しかし、ＰＥＴは硬い樹脂であるのに対し、消石灰は細かい粉体であり、一緒に添加するには困難を極める。
【０００６】
消石灰を予めキルン式熱分解装置の内筒内に保持し、そこにＰＥＴを投入するようにする方法もある。しかし、これでは、容器内に材料を投入して処理するのと同じく、バッチ式の処理になり、非効率な運転とならざるを得ない。また、この方式では、熱分解温度を常時均一にコントロールできず、生成ベンゼンが安定的に生成できないという大きな問題がある。
【特許文献１】特開２００６−１６５９４号公報
【非特許文献１】特願２００５−３０４６５５号
【非特許文献２】特願２００５−３６０１４０号
【発明の開示】
【発明が解決しようとする課題】
【０００７】
本発明は、こうした事情を考慮してなされたもので、ＰＥＴを含む樹脂を熱分解してベンゼンを回収する技術について、ＰＥＴを含む樹脂とアルカリとの両方の投入材料を熱分解運転特性を把握しつつ、その熱分解特性に合わせて最適な条件でＰＥＴを含む樹脂とアルカリを混合しながら、安定的に処理できるＰＥＴを含む樹脂の熱分解油化処理装置を提供することを目的とする。
【課題を解決するための手段】
【０００８】
1) 本発明の第１の態様によるＰＥＴを含む樹脂の熱分解油化処理装置は、ＰＥＴを含む樹脂を熱分解してベンゼンを主体とする生成油を生成する熱分解油化装置において、ＰＥＴを含む樹脂を破砕し、破砕したＰＥＴを含む樹脂（破砕ＰＥＴ含有樹脂）を貯留する破砕ＰＥＴ含有樹脂投入ホッパーと、アルカリを貯留するアルカリ投入ホッパーと、破砕ＰＥＴ含有樹脂投入ホッパー及びアルカリ投入ホッパーの夫々の下部に設置された第１・第２の定量供給装置と、これらの第１・第２の定量供給装置の下部に配置された投入機と、この投入機に接続された，熱分解を行う熱分解装置とを具備し、破砕ＰＥＴ含有樹脂とアルカリとを夫々の定量供給装置を経由して、或る一定比率で前記熱分解装置内に連続的に投入できるようにしたことを特徴とする。
【０００９】
2) 本発明の第２の態様によるＰＥＴを含む樹脂の熱分解油化処理装置は、上記１）の発明において、第１の定量供給装置の上部に配置された，破砕ＰＥＴ含有樹脂を貯留する破砕ＰＥＴ含有樹脂貯留管と、第２の定量供給装置の上部に配置された，アルカリを貯留するアルカリ貯留管と、これらの貯留管の下部に夫々接続された不活性ガス注入ポートと、前記貯留管の上部に夫々設置された酸素濃度計とを更に具備し、夫々の酸素濃度計の計測値により、夫々の不活性ガス注入ポートより供給する不活性ガス注入量を調整できる機能を備えたことを特徴とする。
【００１０】
3) 本発明の第３の態様によるＰＥＴを含む樹脂の熱分解油化処理装置は、上記１）の発明において、熱分解処理して生成するベンゼンの量を計量し、その生成ベンゼン量に応じて、熱分解処理を行う熱分解装置へ供給する破砕ＰＥＴ含有樹脂とアルカリとの供給比率を調整できるようにしたことを特徴とする。
【００１１】
4) 本発明の第４の態様によるＰＥＴを含む樹脂の熱分解油化処理装置は、上記１）又は２）の発明において、熱分解装置の内部温度を測定し、その温度に応じて熱分解装置へ供給する破砕ＰＥＴ含有樹脂とアルカリとの供給比率を調整できるようにしたことを特徴とする。
【００１２】
5) 本発明の第５の態様によるＰＥＴを含む樹脂の熱分解油化処理装置は、上記１）乃至４の発明において、破砕ＰＥＴ含有樹脂投入ホッパーの下部に配置された破砕ＰＥＴ含有樹脂定量供給サークルフィーダと、アルカリ投入ホッパーの下部に配置されたアルカリ定量供給サークルフィーダとを更に具備し、夫々の定量供給サークルフィーダの回転数を調整し、破砕ＰＥＴ含有樹脂とアルカリとを或る一定比率で、熱分解装置に連続的に投入できるようにしたことを特徴とする。
【００１３】
6) 本発明の第６の態様によるＰＥＴを含む樹脂の熱分解油化処理装置は、ＰＥＴを含む樹脂を熱分解してベンゼンを主体とする生成油を生成する熱分解油化装置において、ＰＥＴを含む樹脂を破砕し、破砕ＰＥＴを貯留する破砕ＰＥＴ含有樹脂投入ホッパーと、アルカリを貯留するアルカリ投入ホッパーと、破砕ＰＥＴ含有樹脂投入ホッパーの下部に配置された破砕ＰＥＴ含有樹脂定量供給サークルフィーダと、アルカリ投入ホッパーの下部に配置されたアルカリ定量供給サークルフィーダと、破砕ＰＥＴ含有樹脂定量供給サークルフィーダの下部に配置された，破砕ＰＥＴ含有樹脂を貯留する破砕ＰＥＴ含有樹脂貯留管と、アルカリ定量供給サークルフィーダの下部に配置された，アルカリを貯留するアルカリ貯留管と、前記破砕ＰＥＴ含有樹脂投入ホッパー及びアルカリ投入ホッパーの夫々の下部に設置された第１・第２の定量供給装置と、これらの第１・第２の定量供給装置の下部に配置された，スクリュー移送構造を有する材料攪拌定量流下投入装置と、この投入装置の下部に配置された投入機と、この投入機に接続された，熱分解を行う熱分解装置とを具備し、破砕ＰＥＴ含有樹脂とアルカリを常時一定比率で熱分解装置内に連続的に投入して熱分解を行うことを特徴とする。
【００１４】
7) 本発明の第７の態様によるＰＥＴを含む樹脂の熱分解油化処理装置は、上記１）乃至６）の発明において、前記投入機がスクリュー移送構造の投入機であり、破砕ＰＥＴ含有樹脂とアルカリを投入しながら圧縮し、投入する破砕材料の隙間のガスを材料入口側に排除し、熱分解処理を行う熱分解装置内には固体だけを連続的に投入するようにしたことを特微とする。
【発明の効果】
【００１５】
本発明によれば、ＰＥＴを含む樹脂を熱分解してベンゼンを回収する技術について、ＰＥＴにアルカリを安定的に添加しつつ運転できるだけでなく、熱分解運転特性を把握しながら、その熱分解特性に合わせて最適な条件でＰＥＴとアルカリを混合しつつ、安定的に処理できるＰＥＴを含む樹脂の熱分解油化処理装置を提供することができる。
【発明を実施するための最良の形態】
【００１６】
以下、本発明のＰＥＴを含む樹脂の熱分解油化処理装置について更に詳しく説明する。  
上述したように、本発明は上記１）の構成にすれば、ＰＥＴに消石灰等のアルカリを安定的に添加しつつ運転できるだけでなく、熱分解運転特性を把握しながら、その熱分解特性に合わせて最適な条件でＰＥＴとアルカリを混合しつつ、両者を安定的に処理することができる。
【００１７】
また、上記２）のように、破砕ＰＥＴ含有樹脂貯留管とアルカリ貯留管と不活性ガス注入ポートと酸素濃度計とを更に具備した構成にすれば、夫々の酸素濃度計の計測値により、夫々の不活性ガス注入ポートより供給する不活性ガス注入量を調整できすることができる。
【００１８】
更に、上記３）のように、熱分解処理して生成するベンゼンの量を計量し、その生成ベンゼン量に応じて、熱分解装置へ供給する破砕ＰＥＴ含有樹脂とアルカリとの供給比率を調整できるような構成にすれば、ＰＥＴを含む樹脂とアルカリとを予め一定比率で混合しなくても、別々のホッパーから最適比率に調整しながら投入量を調整して運転することができる。従って、より安全で安定的な処理を行うことができる。なお、上記４）のように、熱分解装置の内部温度を測定し、その温度に応じて熱分解装置へ供給する破砕ＰＥＴ含有樹脂とアルカリとの供給比率を調整できるような構成にしても、同様な効果が得られる。
【００１９】
更には、上記５）のように、破砕ＰＥＴ含有樹脂定量供給サークルフィーダとアルカリ定量供給サークルフィーダとを更に具備し、夫々の定量供給サークルフィーダの回転数を調整し、破砕ＰＥＴ含有樹脂とアルカリとを或る一定比率で、熱分解装置に連続的に投入できるような構成にすれば、ロータリーバルブ等の定量供給装置に比べ、コンパクトな構成で、噛み込み等のない信頼性の高い装置が得られる。また、ＰＥＴを含む樹脂とアルカリとを予め一定比率で混合しなくても、別々のホッパーから最適比率に調整しながら投入量を調整して運転でき、より安全で安定的な処理を行うことができる。
【００２０】
また、上記６）のような構成にすれば、スクリュー移送構造を有する材料攪拌定量流下投入装置により、熱分解装置内に投入する樹脂及びアルカリを攪拌しつつ定量で材料投入機に流下させて、熱分解装置内に材料に同伴して酸素が混入するのを完全に防止しつつ、常時所定の混合比率で確実に投入することができる。また、これにより、ＰＥＴを含む樹脂とアルカリとを予め一定比率で混合しなくても、別々のホッパーから最適比率に調整しながら投入量を調整し運転することができ、より安全で安定的な処理を行うことが可能となる。
【００２１】
更に、上記７）のようにスクリュー移送構造の投入機を備えた構成にすれば、破砕ＰＥＴ含有樹脂とアルカリを投入しながら圧縮し、投入する破砕材料の隙間のガスを材料入口側に排除し、熱分解処理を行う熱分解装置内には固体だけを連続的に投入することができる。これにより、より一層安全で安定的な処理を行うことができる。
【００２２】
本発明において、「ＰＥＴを含む樹脂」とは、ＰＥＴ１００％の場合、あるいはＰＥＴを少なくとも少量（例えば５％）含み、その他にＰＥ，ＰＰ等の樹脂を含む場合の樹脂を意味する。また、「アルカリ」とは例えば消石灰を示すが、これに限定されない。
【００２３】
次に、本発明に係わるＰＥＴを含む樹脂を熱分解してベンゼンを主体とする生成油を生成する熱分解油化処理装置の実施形態について図面を参照して説明する。
【００２４】
（第１の実施形態）：請求項１に対応  
図１は、本発明の第１の実施形態におけるＰＥＴを含む樹脂を熱分解してベンゼンを主体とする生成油を生成する熱分解油化装置である。  
図中の符番１は、破砕ＰＥＴを含有する樹脂（以下、破砕ＰＥＴ含有樹脂と呼ぶ」）を投入する破砕ＰＥＴ含有樹脂投入ホッパー（以下、単に樹脂投入ホッパーと呼ぶ）を示す。また、符番２は、アルカリとしての消石灰を投入するアルカリ投入ホッパーを示す。これらの樹脂投入ホッパー１，アルカリ投入ホッパー２の夫々の下部には、破砕ＰＥＴ含有樹脂を定量する第１の定量供給装置３，消石灰を定量する第２の定量供給装置４が配置されている。第１の定量供給装置３，第２の定量供給装置４の下部には、投入機５が配置されている。この投入機５には、投入された破砕ＰＥＴ含有樹脂や消石灰を熱分解処理する熱分解装置６が接続されている。
【００２５】
前記樹脂投入ホッパー１、アルカリ投入ホッパー２からは、破砕ＰＥＴ含有樹脂，消石灰が夫々一定比率で別々に投入されて、最適なベンゼン生成率が得られるようになっている。前記第１の定量供給装置３，第２の定量供給装置４としては、例えばロータリーバルブが挙げられる。
【００２６】
第１の実施形態によれば、下流のベンゼン生成率又は熱分解装置６内の温度等を測定することにより、破砕ＰＥＴ含有樹脂と消石灰とを予め一定比率で混合しなくても、別々のホッパー１，２から樹脂と消石灰を最適比率に調整しながら投入量を調整しつつ、熱分解装置６に投入し運転することができる。従って、破砕ＰＥＴ含有樹脂と消石灰を安定的に処理することができる。
【００２７】
（第２の実施の形態）：請求項２に対応  
図２は、本発明の第２の実施形態におけるＰＥＴを含む樹脂を熱分解してベンゼンを主体とする生成油を生成する熱分解油化処理装置である。但し、図１と同部材は同符番を付して説明を省略する。  
図中の符番７，８は、夫々樹脂投入ホッパー１，アルカリ投入ホッパー２の下部に設けられた樹脂供給バルブ、アルカリ供給バルブを示す。樹脂供給バルブ７と第１の定量供給装置３間には、上部に酸素濃度計９を備えた貯留管１０ａが設けられている。アルカリ供給バルブ８と第２の定量供給装置４間には、上部に酸素濃度計９を備えた貯留管１０ｂが設けられている。前記貯留管１０ａの下部には、不活性ガスとしてのＮ２を注入するための不活性ガス注入ポート１１ａが接続されている。前記貯留管１０ｂの下部には、Ｎ２を注入するための不活性ガス注入ポート１１ｂが接続されている。両不活性ガス注入ポート１１ａ，１１ｂは、パージする為に貯留管１０ａ，１０ｂの夫々の下部に接続されていることが好ましい。各不活性ガス注入ポート１１ａ，１１ｂにはバルブ１２ａ，１２ｂが設けられている。バルブ１２ａ，１２ｂと酸度濃度計９は電気的に接続され、酸素濃度計９の計測値により夫々の不活性ガス注入ポート１１ａ，１１ｂより供給する不活性ガス注入量を調整できるようになっている。
【００２８】
第２の実施形態によれば、樹脂投入ホッパー１，アルカリ投入ホッパー２の夫々の下部に樹脂供給バルブ７，アルカリ供給バルブ８を設け、これらのバルブ７，８の夫々の下部に酸素濃度計９を備えた貯留管１０ａ，１０ｂを設け、これらの貯留管１０ａ，１０ｂの夫々の下部にバルブ１２ａ，１２ｂを夫々備えた不活性ガス注入ポート１１ａ，１１ｂを接続した構成になっている。
【００２９】
従って、貯留管１０ａ，１０ｂに夫々の材料である破砕ＰＥＴ含有樹脂、消石灰が一定のレベル範囲内になるように上部の樹脂供給バルブ７，アルカリ供給バルブ８の開閉を制御することにより、貯留管以降の間に空気が混入しないようにすることができる。また、夫々の貯留管１０ａ，１０ｂ下部に不活性ガス注入ポート１１ａ，１１ｂを接続することにより、微量の不活性ガスを注入できる。更に、夫々の貯留管１０ａ，１０ｂの上部の酸素濃度計９の計測値により、夫々の不活性ガス注入ポート１１ａ，１１ｂより供給する不活性ガス注入量を調整することができる。従って、熱分解装置６内に破砕ＰＥＴ含有樹脂や消石灰に同伴して酸素が混入するのを防止することができる。更には、破砕ＰＥＴ含有樹脂と消石灰とを予め一定比率で混合しなくても、別々のホッパー１，２から最適比率に調整しながら投入量を調整し運転することができ、より安全で安定的な処理を行うことが可能となる。
【００３０】
（第３の実施形態）：請求項３に対応  
図３は、本発明の第３の実施形態におけるＰＥＴを含む樹脂を処理する熱分解油化処理装置である。但し、図１，２と同部材は同符番を付して説明を省略する。  
図３は、熱分解処理して生成するベンゼンの量を計量し、その生成ベンゼン量に応じて、熱分解処理を行う熱分解装置へ供給する破砕ＰＥＴ含有樹脂とアルカリとの供給比率を調整できるようにしたものである。
【００３１】
図中の符番１３は、熱分解装置６の上部に接続された配管を示す。この配管１３の途中には、配管１３内を通過するベンゼンが主体の熱分解ガスを冷却し凝縮するための冷却器１４が介装されている。配管１３は、途中でベンゼンが主体の生成油を収容する収納容器１５に接続された分岐管１６ａと、液化されないガス（オフガス）を送るための分岐管１６ｂに分岐される。収納容器１５の下部には、収容容器１５内の生成油の重さを測定するために天秤式重量計１７が設けられている。天秤式重量計１７は、前記第１の定量供給装置３及び第２の定量供給装置４と電気的に接続された状態にある。
【００３２】
第３の実施形態によれば、貯留管１０ａ，１０ｂに夫々の材料である樹脂、消石灰が一定のレベル範囲内になるように上部の樹脂供給バルブ７，アルカリ供給バルブ８の開閉を制御することにより、貯留管以降の間に空気が混入しないようにすることができる。また、夫々の貯留管１０ａ，１０ｂ下部に不活性ガス注入ポート１１ａ，１１ｂを接続することにより、微量の不活性ガスを注入できる。更に、夫々の貯留管１０ａ，１０ｂの上部の酸素濃度計９の計測値により、夫々の不活性ガス注入ポート１１ａ，１１ｂより供給する不活性ガス注入量を調整することができる。従って、熱分解装置６内に樹脂や消石灰に同伴して酸素が混入するのを防止することができる。
【００３３】
また、熱分解装置６に接続された配管１３の途中に冷却器１４を介装するとともに、天秤式重量計１７によりベンゼンが主体の生成油の量を計測し、この量に応じて熱分解装置６へ供給する破砕ＰＥＴ含有樹脂と消石灰の供給比率を調整できるようにしたので、より安全で安定的な処理を行うことが可能となる。  
なお、図３では、配管１３の一部に冷却器１４が設置され、ここで熱分解ガスを間接凝縮される場合について述べたが、配管１３の途中に生成油をスプレーにより熱分解ガス中に吹きかけ直接冷却し凝縮するようにしてもよい。また、生成油の重さを測定する天秤も上述したものに限らない。
【００３４】
（第４の実施形態）：請求項４に対応  
図４は、本発明の第４の実施形態におけるＰＥＴを含む樹脂を処理する熱分解油化処理装置である。但し、図１，２と同部材は同符番を付して説明を省略する。  
図４は、熱分解処理している熱分解装置６の内部温度を測定し、その温度に応じて、熱分解処理を行う熱分解装置６へ供給する破砕ＰＥＴ含有樹脂と消石灰との供給比率を調整できるようにしたものである。図中の符番１８は熱分解装置６の内部温度を測定する為の温度計を示す。この温度計１８は、第１の定量供給装置３及び第２の定量供給装置４と電気的に接続された状態にある。
【００３５】
第４の実施形態によれば、貯留管１０ａ，１０ｂに夫々の材料である樹脂、消石灰が一定のレベル範囲内になるように上部の樹脂供給バルブ７，アルカリ供給バルブ８の開閉を制御することにより、貯留管以降の間に空気が混入しないようにすることができる。また、夫々の貯留管１０ａ，１０ｂ下部に不活性ガス注入ポート１１ａ，１１ｂを接続することにより、微量の不活性ガスを注入できる。更に、夫々の貯留管１０ａ，１０ｂの上部の酸素濃度計９の計測値により、夫々の不活性ガス注入ポート１１ａ，１１ｂより供給する不活性ガス注入量を調整することができる。従って、熱分解装置６内に破砕ＰＥＴ含有樹脂や消石灰に同伴して酸素が混入するのを防止することができる。
【００３６】
また、熱分解装置６に設けた温度計１８により熱分解装置６の内部温度を測定し、その温度に応じて熱分解装置６へ供給する破砕ＰＥＴ含有樹脂と消石灰との供給比率を調整できる。従って、別々のホッパーから最適比率に調整しながら投入量を調整し運転することができ、より安全で安定的な処理を行うことが可能となる。
【００３７】
（第５の実施の形態）：請求項５に対応  
図５は、本発明の第５の実施形態におけるＰＥＴを含む樹脂を処理する熱分解油化処理装置である。但し、図１，２，４と同部材は同符番を付して説明を省略する。  
図５は、破砕ＰＥＴ含有樹脂貯留ホッパーの下部に破砕ＰＥＴ含有樹脂定量供給サークルフィーダを、アルカリ貯留ホッパーの下部にアルカリ定量供給サークルフィーダを設置し、夫々の定量供給サークルフィーダの回転数を調整し、破砕ＰＥＴ含有樹脂とアルカリとを或る一定比率で、熱分解装置に連続的に投入できるようにしたものである。
【００３８】
図中の符番１９は、樹脂投入ホッパー１と貯留管１０ａ間に配置された，密閉性を保持するとともに材料定量供給機能を備えた破砕ＰＥＴ含有樹脂定量供給サークルフィーダを示す。図中の符番２０は、アルカリ投入ホッパー２と貯留管１０ｂ間に配置された，密閉性を保持するとともに材料定量供給機能を備えたアルカリ定量供給サークルフィーダを示す。
【００３９】
第５の実施形態によれば、破砕ＰＥＴ含有樹脂と消石灰とを夫々樹脂投入ホッパー１とアルカリ投入ホッパー２に個別に投入し、その下部に夫々定量供給サークルフィーダ１９，２０を設置し、更にその下部に夫々貯留管１０ａ，１０ｂを設置し、これらの貯留管１０ａ，１０ｂに夫々の材料が一定のレベル範囲になるように定量供給サークルフィーダ１９，２０により材料供給量を調整することにより、貯留管１０ａ，１０ｂ以降の間に空気が混入しないようにすることができる。
【００４０】
また、貯留管１０ａ，１０ｂの夫々の下部に不活性ガス注入ポート１１ａ，１１ｂを設置して微量の不活性ガスを注入できるようにし、また、夫々の貯留管１０ａ，１０ｂの上部に酸素濃度計９を設置し、ここで夫々の酸素濃度計９の計測値により、夫々の不活性ガス注入ポート１１ａ，１１ｂより供給する不活性ガス注入量を調整できる機能を備えている。従って、熱分解装置６内に材料に同伴して酸素が混入するのを完全に防止することができる。
【００４１】
更に、熱分解装置６に設けた温度計１８により熱分解装置６の内部温度を測定し、その温度に応じて熱分解装置６へ供給する破砕ＰＥＴ含有樹脂と消石灰との供給比率を調整できるようにしたものである。従って、別々のホッパーから最適比率に調整しながら投入量を調整し運転することができ、より安全で安定的な処理を行うことが可能となる。更にまた、定量供給性能の高いサークルフィーダ１９，２０を用いるので、ロータリーバルブ等の定量供給装置に比べ、コンパクトな構成で、噛み込み等のない信頼性を高めた安全な供給装置とすることができる。
【００４２】
（第６の実施の形態）：請求項６に対応  
図６は、本発明の第６の実施形態におけるＰＥＴを含む樹脂を処理する熱分解油化処理装置である。但し、図１，２，３，４，５と同部材は同符番を付して説明を省略する。  
図中の符番２１は、樹脂定量供給装置３及びアルカリ定量供給装置４の下部に配置されたスクリュー移送構造の材料攪拌定量流下投入装置（以下、単に投入装置と呼ぶ）を示す。こうした構成においては、一方の貯留管１０ａから樹脂定量供給装置３を通過してきた破砕ＰＥＴ含有樹脂と、他方の貯留管１０ｂからアルカリ定量供給装置４を通過してきた消石灰が投入装置２１を用いて攪拌して常時定量で下部の投入機５に流下させることができる。従って、破砕ＰＥＴ含有樹脂と消石灰を常時所定の混合比率で確実に投入することができる。また、これにより、破砕ＰＥＴ含有樹脂とアルカリとが投入機５に入る際にどちらかの材料に偏ることなく予め一定比率で混合しなくても、別々のホッパーから最適比率に調整しながら投入量を調整し運転することができ、より安全で安定的な処理を行うことが可能となる。
【００４３】
第６の実施形態によれば、破砕ＰＥＴ含有樹脂と消石灰の夫々の貯留管１０ａ，１０ｂの下部にスクリュー移送構造の投入装置２１を設置し、熱分解装置６内に投入する両材料を攪拌しつつ定量で投入機５に流下させることにより、熱分解装置６内に材料に同伴して酸素が混入するのを完全に防止しつつ、常時所定の混合比率で確実に投入することができる。また、これにより、破砕ＰＥＴ含有樹脂とアルカリとを予め一定比率で混合しなくても、別々のホッパーから最適比率に調整しながら投入量を調整し運転することができ、より安全で安定的な処理を行うことが可能となる。
【００４４】
（第７の実施形態）：請求項７に対応  
図７は、本発明の第７の実施形態におけるＰＥＴを含む樹脂を処理する熱分解油化処理装置である。なお、図７（Ａ）は同装置の概略的な全体図、図７（Ｂ）は図７（Ａ）の投入機を拡大して示す説明図である。但し、図１，２，３，４，５と同部材は同符番を付して説明を省略する。  
図中の符番２３は、第１の定量供給装置３及び第２の定量供給装置４の下部に配置されたスクリュー移送構造の投入機を示す。この投入機２３はモータ２２によって回転し、破砕ＰＥＴ含有樹脂や消石灰が投入される部分において隙間が多く、熱分解装置６側に向かうにつれて隙間が徐々に小さくなるように設計されている。即ち、この投入機２３は、材料を投入しながら圧縮し、投入する破砕材料の隙間のガスを材料入口側に排除し、熱分解処理を行う熱分解装置６内にはガスが混入せず固体だけが連続的に投入されるようにしている。
【００４５】
第７の実施形態によれば、第１の定量供給装置３及び第２の定量供給装置４の下部にスクリュー移送構造の投入機２１を配置し、材料を投入しながら圧縮し、投入する破砕材料の隙間のガスを材料入口側に排除し、熱分解処理を行う熱分解装置６内にはガスが混入せず固体だけが連続的に投入されるようにすることにより、熱分解装置６内に材料に同伴して酸素が混入するのを完全に防止しつつ、常時所定の混合比率で確実に投入することができる。また、これにより、破砕ＰＥＴ含有樹脂とアルカリとを予め一定比率で混合しなくても、別々のホッパーから最適比率に調整しながら投入量を調整し運転することができ、より安全でシンプルで安定的な処理を行うことが可能となる。
【００４６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４７】
【図１】図１は、本発明の第１の実施形態に係るＰＥＴを含む樹脂を熱分解してベンゼンを主体とする生成油を生成する熱分解油化処理装置の説明図を示す。
【図２】図２は、本発明の第２の実施形態に係るＰＥＴを含む樹脂を熱分解してベンゼンを主体とする生成油を生成する熱分解油化処理装置の説明図を示す。
【図３】図３は、本発明の第３の実施形態に係るＰＥＴを含む樹脂を熱分解してベンゼンを主体とする生成油を生成する熱分解油化処理装置の説明図を示す。
【図４】図４は、本発明の第４の実施形態に係るＰＥＴを含む樹脂を熱分解してベンゼンを主体とする生成油を生成する熱分解油化処理装置の説明図を示す。
【図５】図５は、本発明の第５の実施形態に係るＰＥＴを含む樹脂を熱分解してベンゼンを主体とする生成油を生成する熱分解油化処理装置の説明図を示す。
【図６】図６は、本発明の第６の実施形態に係るＰＥＴを含む樹脂を熱分解してベンゼンを主体とする生成油を生成する熱分解油化処理装置の説明図を示す。
【図７】図７は、本発明の第７の実施形態に係るＰＥＴを含む樹脂を熱分解してベンゼンを主体とする生成油を生成する熱分解油化処理装置の説明図を示す。
【符号の説明】
【００４８】
１…樹脂投入ホッパー、２…アルカリ投入ホッパー、３…第１の定量供給装置、４…第２の定量供給装置、５，２３…投入機、６…熱分解装置、７…樹脂供給バルブ、８…アルカリ供給バルブ、９，１８…温度計、１０ａ，１０ｂ…貯留管、１１ａ，１１ｂ…不活性ガス注入ポート、１２ａ，１２ｂ…調整バルブ、１７…天秤式重量計、１９…樹脂サークルフィーダ、２０…アルカリサークルフィーダ、２１…材料攪拌定量流下投入装置。
【図１】
2008133398.tif 000003
【図２】
2008133398.tif 000004
【図３】
2008133398.tif 000005
【図４】
2008133398.tif 000006
【図５】
2008133398.tif 000007
【図６】
2008133398.tif 000008
【図７】
2008133398.tif 000009